(57)【要約】【課題】サウナ入浴後に浴室から出ることなく、入浴者の身体への負担を軽減した状態で火照った身体を効果的に冷やすことが可能なサウナ装置を提供する。【解決手段】筐体内に配置された熱交換器と、該熱交換器近傍の筐体内に配置された熱交換器に湯水を拡散することにより蒸気を発生させる拡散手段と、筐体の浴室側開口部に浴室内方向に向けて配置されたノズルと、拡散手段を作動させて蒸気を発生させると共に、該蒸気を発生させた後にノズルを作動させて冷媒のスプラッシュを浴室内に向けて噴出させる制御手段と、を備えることを特徴とする。前記熱交換器上に拡散された湯水を回収するタンクを備え、該タンク内の残水等の排水がノズルの作動による負圧を利用して行われる。【選択図】  図１
2007236611.tif 000002
【特許請求の範囲】
【請求項１】
筐体内に配置された熱交換器と、該熱交換器近傍の筐体内に配置された熱交換器に湯水を拡散することにより蒸気を発生させる拡散手段と、前記筐体の浴室側開口部に浴室内方向に向けて配置されたノズルと、前記拡散手段を作動させて蒸気を発生させると共に、該蒸気を発生させた後に前記ノズルを作動させて冷媒のスプラッシュを浴室内に向けて噴出させる制御手段と、を備えることを特徴とするサウナ装置。
【請求項２】
前記熱交換器に拡散された湯水を回収し循環ポンプを介して再び前記拡散手段に供給すると共にその排水口が前記ノズルに接続されたタンクを備え、該タンク内の残水等の排水が前記ノズルの作動による負圧を利用して行われることを特徴とする請求項１に記載のサウナ装置。
【請求項３】
前記ノズルは、筐体の浴室側開口部に着脱可能に配置されたグリル板の吸気口もしくは吹出口に対応して配置されていることを特徴とする請求項１または２に記載のサウナ装置。
【請求項４】
前記ノズルは、そのスプラッシュの噴出方向が可変可能であることを特徴とする請求項１ないし３のいずれかに記載のサウナ装置。
【請求項５】
前記ノズルは、前記タンクに水を供給する給水配管に接続されていることを特徴とする請求項２ないし４のいずれかに記載のサウナ装置。
【発明の詳細な説明】
【技術分野】
【０００１】
本発明は、例えば浴室の天井部分等に設置され浴室内に蒸気を発生させてサウナ入浴が可能なサウナ装置に関する。
【背景技術】
【０００２】
従来、浴室の天井に設置され浴室内に蒸気を噴出させてサウナ入浴を可能にしたサウナ装置としては、例えば特許文献１に開示されている。このサウナ装置（ミスト装置）は、筐体内に熱交換器と送風ファンを配置し、熱交換器で熱交換された温風を筐体の開口部に配置されたグリル板の吹出口から浴室内に吹き出すと共に、筐体の浴室内側に温水供給管と噴出ノズルからなるミスト噴出部を支持させ、このミスト噴出部から浴室内にミストを噴出させることによりサウナ入浴を可能に構成したものである。
【特許文献１】特開２００２−３３６３２３７号公報
【発明の開示】
【発明が解決しようとする課題】
【０００３】
しかしながら、このようなサウナ装置においては、ミスト噴出部から単にミストを噴出するのみであるため、サウナ入浴後に入浴者の火照った身体を冷やすためには、例えば浴室内で冷水や冷水シャワーを浴びたり、一旦浴室外に出て冷気にあたる必要が生じる。そのため、冷水等を浴びて冷やす場合は入浴者の身体への負担が大きくなり易く、また冷気で冷やす場合は入浴者が一々浴室外に出なければならず、サウナ入浴時の快適性の面で十分ではない。
【０００４】
本発明は、このような事情に鑑みてなされたもので、その目的は、サウナ入浴後に浴室から出ることなく、入浴者の身体への負担を軽減した状態で火照った身体を効果的に冷やすことが可能なサウナ装置を提供することにある。
【課題を解決するための手段】
【０００５】
かかる目的を達成すべく、本発明のうち請求項１に記載の発明は、筐体内に配置された熱交換器と、該熱交換器近傍の筐体内に配置された熱交換器に湯水を拡散することにより蒸気を発生させる拡散手段と、前記筐体の浴室側開口部に浴室内方向に向けて配置されたノズルと、前記拡散手段を作動させて蒸気を発生させると共に、該蒸気を発生させた後に前記ノズルを作動させて冷媒のスプラッシュを浴室内に向けて噴出させる制御手段と、を備えることを特徴とする。
【０００６】
また、請求項２に記載の発明は、前記熱交換器に拡散された湯水を回収し循環ポンプを介して再び前記拡散手段に供給すると共にその排水口が前記ノズルに接続されたタンクを備え、該タンク内の残水等の排水が前記ノズルの作動による負圧を利用して行われることを特徴とする。また、請求項３に記載の発明は、前記ノズルが、筐体の浴室側開口に着脱可能に配置されたグリル板の吸気口もしくは吹出口に対応して配置されていることを特徴とし、請求項４に記載の発明は、前記ノズルのスプラッシュの噴射方向が可変可能であることを特徴とする。さらに、請求項５に記載の発明は、前記ノズルが、前記タンクに水を供給する給水配管に接続されていることを特徴とする。
【発明の効果】
【０００７】
本発明の請求項１に記載の発明によれば、制御手段が拡散手段を作動させて蒸気を発生させると共に、蒸気を発生させた後に筐体に設けたノズルを作動させて冷媒のスプラッシュを浴室内に向けて噴射するため、筐体から浴室内に冷水や冷気等のスプラッシュを噴出できて、サウナ入浴後に入浴者が火照った体を浴室から出ることなく、その身体への負担を軽減した状態で効果的に冷やすことができる。
【０００８】
また、請求項２に記載の発明によれば、請求項１に記載の発明の効果に加え、熱交換器に拡散された湯水を回収して再び前記拡散手段に供給し得るタンクを備え、このタンクの排水口がノズルに接続されているため、タンク内の残水等を排水する際に、ノズルの作動による負圧を利用して行うことができて、専用の部材等を設けることなく簡易な構成によりタンク内の残水等を確実に排水して、タンク内を常に清潔に維持することができる。
【０００９】
また、請求項３に記載の発明によれば、請求項１または２に記載の発明の効果に加え、ノズルが筐体の浴室側開口に着脱可能に配置されたグリル板の吸気口もしくは吹出口に対応して配置されているため、ノズルをグリル板で隠した状態で筐体内に配置できて、浴室デザインの低下を防止することができる。
【００１０】
また、請求項４に記載の発明によれば、請求項１ないし３に記載の発明の効果に加え、ノズルのスプラッシュの噴出方向が可変可能であるため、入浴者の体格や好み等に応じて噴出方向を調整できて、使い勝手に優れたサウナ装置を得ることができる。さらに、請求項５に記載の発明によれば、請求項２ないし４に記載の発明の効果に加え、ノズルがタンクに水を供給する給水配管に接続されているため、配管構造を簡略化して安価なサウナ装置を得ることができる。
【発明を実施するための最良の形態】
【００１１】
以下、本発明の実施の形態を図面に基づいて詳細に説明する。
図１〜図３は、本発明に係わるサウナ装置の一実施形態を示し、図１がその基本構成図、図２がそのノズル部分の拡大図、図３が動作の一例を示すフローチャートである。
【００１２】
図１に示すように、サウナ装置１は、筐体２内に所定間隔を有して略垂直状態で配置された一対の熱交換器３、４と、一方の熱交換器３に所定温度の湯水を拡散（放散、吐出、噴出、噴射、吹付け、噴霧等も含む）する拡散パイプ５（拡散手段）と、この拡散パイプ５で拡散された湯水を回収するバッファタンク６と、このバッファタンク６内の湯水を汲み上げて配管を介し前記拡散パイプ５に供給する循環ポンプ７と、隔壁等で形成された筐体２内の通風路８に配置され前記熱交換器３、４によって発生した蒸気や温風を浴室１３内に吹き出す送風ファン９と、ダンパーモータ１１ａで開閉するダンパー１１を介して筐体２に接続された換気ファン１０と、制御基板１２（制御手段）等を備えている。
【００１３】
前記熱交換器３は主に蒸気発生用として使用され、一定間隔で並設された多数枚のフィンと、このフィンの両端部に配置された支持板及びフィンと支持板を支持する蛇行状に屈曲形成された加熱手段としての温水供給管等で構成されている。また、前記熱交換器４は温風発生用として使用され、熱交換器３と同様にフィン、支持板及び温水供給管等により構成されている。そして、熱交換器３、４の温水供給管には、温水循環機能付きの熱源機（図示せず）に接続された循環往き配管１５ａと循環戻り配管１５ｂが熱動弁１６ａ、１６ｂを介して接続されている。
【００１４】
前記循環ポンプ７は、バッファタンク６から吸い上げた湯水を２つの方向に吐出する切替式のポンプが使用され、一方の吐出口に配管を介して前記拡散パイプ５が接続され、他方の吐出口に排水配管１７が接続されている。そして、制御基板１２の制御信号により、循環ポンプ７が正転して拡散側に切り替わると共に循環ポンプ７が所定回転数で回転することにより、汲み上げた湯水が拡散パイプ５から熱交換器３に拡散され、また、循環ポンプ７が逆転して排水側に切り替わると共に所定回転数で回転することにより、汲み上げた湯水が排水配管１７を介して浴室１３外に排水されるようになっている。
【００１５】
前記バッファタンク６は、熱交換器３、４の下方に配置され、給水電磁弁１９が接続された給水配管１８が接続されると共に、バッファタンク６内の湯水の水位を検出するフロートスイッチ２０やバッファタンク６内の湯水の温度を検出する水温センサ２１が配置されている。また、バッファンタンク６の底壁外面には、該バッファタンク６内の乾燥等のためのヒータ２２が配置されている。
【００１６】
前記送風ファン９は、例えばクロスフローファンもしくはシロッコファン等によって形成され、筐体２の浴室側開口部に装着されるグリル板２３の吸気口２３ａと吹出口２３ｂとの間で筐体２内に形成された通風路８内に配置され、そのファンモータが回転することにより、通風路８内に空気の流れを生成（送風）するようになっている。また、前記換気ファン１０は、例えばシロッコファン等によって形成され、そのファンモータの回転により、吸気口２３ａと換気ファン１０との間の筐体２内に換気通路を形成するように構成されている。
【００１７】
そして、前記筐体２の浴室側開口部でグリル板２３の吸気口２３ａ部分には、本発明のノズルとしてのスプラッシュノズル３０が配置されている。このスプラッシュノズル３０は、図２に示すように、そのノズル本体３０ａと高圧供給部（図示せず）等を有して、浴室１３内の洗い場上方に指向して例えばグリル板２３に取付板３１を介して取り付けられている。そして、スプラッシュノズル３０は、図１に示すように、そのノズル本体３０ａが逆止弁３３及び電磁弁３４を有する配管３１を介して給水源３５に接続されることにより、冷水スプラッシュノズルとして機能するようになっている。なお、配管３１は、筐体２外（もしくは筐体２内）で前記給水源３５に接続された給水配管１８に接続されることにより、配管の簡略化が図られている。
【００１８】
なお、前記グリル板２３の吹出口２３ｂには、ルーバー２４がルーバーモータ２４ａの回転により開閉可能に配設されると共に、前記吸気口２３ａの近傍には吸気温センサ２５が配置されると共に、例えば熱交換器３の温水供給管には暖房温水センサ２７が配置され、さらに、筐体２の外部所定位置には外気温センサ２６が配置されている。そして、熱交換器３、４やバッファタンク６、循環ポンプ７，送風ファン９等の各部品が扁平薄型の前記筐体２内に配置されることで、サウナ装置１自体が扁平薄型形状に形成されて、浴室１３の例えば天井パネル１３ａに筐体２及び換気ファン１０等が浴室１３外に位置するようにして設置されている。
【００１９】
前記制御基板１２は、図示しない記憶部や演算制御部を有するマイコンと、サウナ装置１の各種負荷を作動させる駆動回路と、電源ケーブルで外部電源に接続された電源回路等を有している。この制御基板１２は、図１に示すように、その入力側に、浴室内リモコン３６、浴室外リモコン３７、前記フロートスイッチ２０、水温センサ２１、吸気温センサ２５、外気温センサ２６、暖房温水センサ２７等が接続され、その出力側に、循環ポンプ７、送風ファン９や換気ファン１０のモータ（図示せず）、ダンパーモータ１１ａ、ルーバーモータ２４ａ、各種開閉弁１６ａ、１６ｂ、１９、３４、ヒータ２２等の各種負荷が接続されている。なお、前記リモコン３６、３７には、サウナ運転を開始・終了させるサウナ運転スイッチ３８が設けられると共に、例えば浴室内リモコン３６には、スプラッシュノズル３０を作動させるスプラッシュスイッチ３９等が設けられている。
【００２０】
そして、リモコン３６、３７で入力された操作情報に基づいて、制御基板１２のマイコンに予め記憶されたプログラムに従い、制御基板１２の出力側に接続された前記各種負荷が所定の動作をして、例えばサウナ装置１がサウナ運転されるように構成されている。次に、このサウナ装置１の動作の一例を図３のフローチャートに基づいて説明する。先ず、前記リモコン３６、３７に設けたサウナ運転スイッチ３８がオン操作されると、サウナ装置１により蒸気が発生してこれが浴室１３内に噴出するサウナ運転が行われる。
【００２１】
このサウナ運転は、給水電磁弁１９が開となり給水配管１８からバッファタンク６内に水が供給されると共に、循環ポンプ７が作動してバッファタンク６内の水が循環ポンプ７で汲み上げられて拡散パイプ５から熱交換器３上に拡散、すなわち湯水が循環する。この循環する湯水が所定温度となり熱交換器３に拡散されることにより蒸気が発生し、この蒸気が送風ファン９の作動で通風路８内を流れてグリル板２３の吹出口２３ｂから浴室１３内に吹き出され、これによりサウナ運転が実行されることになる。
【００２２】
そして、図３に示すように、サウナ運転スイッチ３８のオフ操作により、もしくはタイマーで予め設定した所定時間が経過することにより、サウナ運転が終了（Ｓ１０１）すると、サウナ運転スイッチ３８がオフか否かが判断（Ｓ１０２）され、この判断Ｓ１０２で「ＹＥＳ」の場合に、スプラッシュスイッチ３９がオンか否かが判断（Ｓ１０３）される。この判断Ｓ１０３は「ＹＥＳ」になるまで繰り返され、入浴者が所定時間サウナ入浴をして火照った身体を冷やそうとして浴室内リモコン３６のスプラッシュスイッチ３９をオン操作すると、判断Ｓ１０３で「ＹＥＳ」となり、制御基板１２からの制御信号により電磁弁３４が開になると共にスプラッシュノズル３０が作動（Ｓ１０４）する。
【００２３】
このスプラッシュノズル３０の作動により、配管３２、電磁弁３４及び逆止弁３３を介して供給される水（冷水）が高圧状態でスプラッシュとなって、図２の矢印イの如くスプラッシュノズル３０から浴室１３内の洗い場上に噴出され、この冷水スプラッシュが洗い場に例えば立っている入浴者の身体に浴びせられて、サウナ入浴後の入浴者の火照った身体が冷やされることになる。そして、ステップＳ１０４でスプラッシュノズル３０が作動すると、予め設定された所定時間Ｔが経過したか否かが判断（Ｓ１０５）され、この判断Ｓ１０５で「ＮＯ」の場合はステップＳ１０４に戻り、判断Ｓ１０５で「ＹＥＳ」の場合は電磁弁３４を閉にすると共にスプラッシュノズル３０を停止（Ｓ）させて一連のプログラムを終了（Ｓ１０７）する。
【００２４】
つまり、サウナ入浴が終了した後に入浴者によりスプラッシュスイッチ３９がオン操作された場合に、スプラッシュノズル３０から所定時間Ｔ冷水スプラッシュが噴出され、この冷水スプラッシュを入浴者が浴室１３内で浴びることにより、その火照った身体を冷やすことが可能となる。なお、以上のフローチャートにおいては、スプラッシュスイッチ３９がオン操作された場合に、スプラッシュノズル３０から冷水スプラッシュを所定時間Ｔ噴出するように構成したが、例えば判断Ｓ１０５で回数を判断するようにして、入浴者等に応じて予め設定された回数、判断Ｓ１０３〜判断Ｓ１０５を繰り返すように構成しても良い。
【００２５】
また、上記フローチャートの場合、スプラッシュスイッチ３９のオン操作をサウナ運転スイッチ３８と関連付けてサウナ運転スイッチ３８がオフの場合にのみ、スプラッシュスイッチ３９のオン操作を可能として、冬季における冷水スプラッシュの不用意な噴出等を防止したが、例えばリモコン３６、３７に冬季と夏期を切り換えるスイッチを設け、冬季の場合にのみこの機能が働く構成とすることもできる。さらに、サウナ運転中にスプラッシュノズル３０を作動させるように構成することも可能である。また、上記実施形態において、例えば図２の二点鎖線で示すように、スプラッシュノズル３０のノズル本体３０ａをモータ等の駆動源４０により矢印ロの如く回転できたり回動できるように、更には首振りできるように配設し、ノズル本体３０ａの浴室１３内への指向方向を自動的に可変させて、冷水スプラッシュを入浴者の身体の所望位置に浴びせるように構成することもできる。
【００２６】
このように、上記実施形態のサウナ装置１にあっては、制御基板１２により拡散パイプ５等を作動させて蒸気を発生させると共に、この蒸気によりサウナ入浴した後に筐体２の浴室側開口部に設けたスプラッシュノズル３０を作動させて冷水スプラッシュを浴室１３内に向けて噴出するため、天井パネル１３ａから浴室１３内に噴出される冷水スプラッシュをサウナ入浴後で火照っている入浴者の身体に浴びせることができ、入浴者が浴室１３から出ることなくその身体を効果的に冷やすことができる。特に、入浴者の身体に冷水スプラッシュがしぶき状に浴びせられることから、従来の冷水自体やシャワー等に比較して入浴者の身体への負担を軽減した状態で冷やすことができ、快適なサウナ入浴等が可能となる。
【００２７】
また、スプラッシュノズル３０が筐体２の浴室側開口に着脱可能に配置されたグリル板２３の吸気口２３ａ部分に配置されているため、スプラッシュノズル３０をグリル板２３で隠した状態で筐体２内に配置できて、浴室１３の天井部分に突出部分がなくなり該部分のデザインをすっきりさせることができて、浴室１３全体のデザインの低下等を防止することが可能となる。また、スプラッシュノズル３０がバッファタンク６に水を供給する給水配管１８に接続されているため、配管構造を簡略化して安価なサウナ装置１を得ることができる。
【００２８】
さらに、スプラッシュノズル３０の冷水スプラッシュの噴出方向を可変可能に構成することにより、入浴者の体格や要望等に応じて噴出方向を自動調整できると共に、スプラッシュスイッチ３９のオン操作により入浴者の身体の火照りに対応した所定時間Ｔ冷水スプラッシュを噴出させることができ、これらにより、使い勝手に優れたサウナ装置１の提供が可能となる。
【００２９】
図４及び図５は、本発明に係わるサウナ装置の他の実施形態を示す概略構成図及びその動作の一例を示すフローチャートである。以下、上記実施形態と同一部位には同一符号を付して説明する。この実施形態のサウナ装置１の特徴は、スプラッシュノズル３０の作動による負圧を利用してバッファタンク６内の残水等を排水するようにした点にある。すなわち、スプラッシュノズル３０を筐体２の開口部（もしくはグリル板２３）に設けた負圧室４１の底壁外面に配置すると共に、この負圧室４１の側壁に排水口４２を設け、この排水口４２と前記バッファタンク６の排水口６ａとを逆Ｕ字排管４３で接続する。
【００３０】
この構造の場合、図５に示すように、例えばリモコン３６の排水スイッチがオン操作されるかもしくは所定時間のサウナ運転が終了すると、排水が開始（Ｓ２０１）され、循環ポンプ７が排水側に切り替わっているか否かが判断（Ｓ２０２）され、この判断Ｓ２０２で「ＮＯ」の場合、すなわち循環ポンプ７が循環側の場合は排水側に切り替わる（Ｓ２０３）。そして、判断Ｓ２０２で「ＹＥＳ」の場合かステップＳ２０３で循環ポンプ７が排水側に切り替わると、循環ポンプ７が排水状態で作動（Ｓ２０４）し、所定時間Ｔ１が経過したか否かが判断（Ｓ２０５）され、この判断Ｓ２０５は「ＹＥＳ」になるまで繰り返される。このステップＳ２０４、２０５により、バッファタンク６内の蒸気発生に使用した湯水が排水配管１７を介して浴室１３外に排水されることになる。
【００３１】
そして、判断Ｓ２０５で「ＹＥＳ」になると、制御基板１２の制御信号により電磁弁３４が開になると共にスプラッシュノズル３０が作動（Ｓ２０５）して、冷水スプラッシュが浴室１３内に向けて噴出される。この冷水スプラッシュの噴出により、負圧室４１内が負圧となり、この負圧で逆Ｕ字配管４３を介してバッファタンク６内の残水が吸引され負圧室４１内で冷水スプラッシュに混合した状態となって浴室１３内に噴出される。なお、バッファタンク６と負圧室４１とが逆Ｕ字配管４３で接続されていることから、スプラッシュノズル３０が非作動の場合（すなわち負圧室４１が所定圧の負圧にならない場合）は、バッファタンク６内の湯水の逆Ｕ字配管４３を介して排水が禁止された状態となっている。
【００３２】
この実施形態のサウナ装置１においても、スプラッシュノズル３０から噴出される冷水スプラッシュによりサウナ入浴後の入浴者の火照った身体を冷やすことができて、上記実施形態のサウナ装置１と同様の作用効果が得られる他に、次のような作用効果を得ることができる。すなわち、熱交換器３上に拡散された湯水を回収して再び拡散パイプ５に供給し得るバッファタンク６を備え、このバッファタンク６の排水口６ａがスプラッシュノズル３０の噴出口部分に接続されているため、バッファタンク６内の湯水を排水する際に、スプラッシュノズル３０の作動による負圧を利用して、循環ポンプ７で汲み上げることができなかったバッファタンク６内の残水等を排水することができて、例えば所定温度の残水が混合した冷水スプラッシュにより入浴者の身体への負担を一層軽減した状態で冷やすことができると共に、バッファタンク６内を常に清潔に維持すること等が可能となる。
【００３３】
この例の場合、例えば配水管４３に図４に二点鎖線で示す電磁弁４４を設け、この電磁弁４４をバッファタンク６の水温センサ２１の検出温度と絡めて開閉させ、所定温度以下の場合にのみ電磁弁４４を開き、該タンク６内の残水等を冷水スプラッシュノズル３０から浴室１３内に噴出させるようにしても良い。このように構成すれば、高温の残水等の噴出が防止されてサウナ装置１の安全性を十分に高めることが可能となる。
【００３４】
また、図４の二点差線で示すように、スプラッシュノズル３０のノズル本体３０ａに逆止弁３３を介してエアー源４６に接続されたエアー配管４５を接続することもでき、この場合は、スプラッシュノズル３０が冷気スプラッシュノズルとして機能し、スプラッシュノズル３０から冷気が浴室１３内に噴出されることになる。この構成によれば、エアーにバッファタンク６内の冷たい残水を混合した状態で浴室１３内に噴出させることにより、冷気と冷水とによる冷やし効果を得たり、エアーにバッファタンク６内の所定温度の湯を混合させて噴出させることにより、入浴者の身体の保温効果を得ることができる等、各種の使用形態への展開が可能となる。
【００３５】
なお、本発明においては、例えばエアー源４６にエアー配管４５を介して接続されたスプラシュノズル３０を図１に示す実施形態に適用することもできるし、各実施形態において、サウナ入浴後の入浴者の身体を冷やす冷媒としては、冷水等の液体でも良いしエアー等の気体、あるいはこれら両方を使用する形態であっても良い。また、上記各実施形態における、サウナ装置１の全体構成、スプラッシュノズル３０の配置位置、筐体２内における熱交換器３、４や送風ファン９の配置形態、循環ポンプ７の形態等も一例であって、例えばスプラッシュノズルをグリル板の吸気口側ではなく吹出口側に配置したり他の適宜位置に配置する等、本発明の各発明の要旨を逸脱しない範囲において適宜に変更することができる。更に、上記実施形態においては、加熱手段としての温水供給管を備えた熱交換器を用いているが、本発明においては、加熱手段を備えない熱交換器により構成することも可能である。
【産業上の利用可能性】
【００３６】
本発明は、２台の熱交換器を備えて浴室の天井パネルに設置され蒸気や温風及びスプラッシュを浴室内に噴出させ得るサウナ装置に限らず、例えば蒸気発生用の１台の熱交換器のみを備えたり、浴室の壁パネルの天井側に設置されて所望方向にスプラッシュ等を噴出させ得る他の適宜のサウナ装置にも適用できる。
【図面の簡単な説明】
【００３７】
【図１】本発明に係わるサウナ装置の一実施形態を示す基本構成図
【図２】同そのノズル部分の拡大図
【図３】同その動作の一例を示すフローチャート
【図４】本発明に係わるサウナ装置の他の実施形態を示す概略構成図
【図５】同その動作の一例を示すフローチャート
【符号の説明】
【００３８】
１・・・サウナ装置、２・・・筐体、３、４・・・熱交換器、５・・・拡散パイプ、６・・・バッファタンク、７・・・循環ポンプ、９・・・送風ファン、１０・・・換気ファン、１２・・・制御基板、１３・・・浴室、１３ａ・・・天井パネル、３０・・・スプラッシュノズル、３０ａ・・・ノズル本体、３３・・・逆止弁、３４・・・電磁弁、３５・・・給水源、３６・・・浴室内リモコン、３７・・・浴室外リモコン、３８・・・サウナ運転スイッチ、３９・・・スプラッシュスイッチ、４０・・・駆動源、４１・・・負圧室、４３・・・逆Ｕ字配管、４４・・・電磁弁、４５・・・エアー配管、４６・・・エアー源。
【図１】
2007236611.tif 000003
【図２】
2007236611.tif 000004
【図３】
2007236611.tif 000005
【図４】
2007236611.tif 000006
【図５】
2007236611.tif 000007